(57)【特許請求の範囲】
【請求項１】
生ゴミ処理機に投入され、生ゴミの分解処理に用いられる処理材であって、木質チップからなる主処理基材に酸性剤を付着・含浸し、酸性剤を付着・含浸していないセルロース発泡体からなる副処理基材に乳酸菌からなる分解に資する有用菌と糖やたんぱく質からなる栄養源を付着・含浸し、前記主処理基材と副処理基材とを混在して成ることを特徴とする生ゴミ処理機に用いる処理材。
【請求項２】
上記処理材のｐＨ値が３．０〜６．５の範囲となるように酸性剤を付着・含浸して成ることを特徴とする請求項１記載の生ゴミ処理機に用いる処理材。
【発明の詳細な説明】
【０００１】
【発明の属する技術分野】
本発明は、生ゴミ処理機に用いる処理材に関するものである。
【０００２】
【従来の技術】
従来から、微生物の働きを利用して生ゴミを分解する生ゴミ処理機が利用されている。この生ゴミ処理機には微生物による生ゴミの分解を促進するために加熱手段や換気手段等が設けられており、生ゴミ処理機の処理槽には生ゴミを分解する微生物が生息しやすいように木質チップより成る処理材が投入されている。また処理槽内の雰囲気がアルカリ性であった場合、アルカリ性を好む微生物の分解によってアンモニアガス等の悪臭が発生してしまうので、処理槽には雰囲気を酸性にするための粉状のｐＨ調整剤が投入されている。上記によって生ゴミ処理機は処理槽内の生ゴミを分解すると共に微生物の分解によって発生する悪臭を抑えることができる。
【０００３】
しかしながら、上記の従来例においては、微生物が生息しやすい木質チップよりなる処理材と、粉状のｐＨ調整剤とは別のものであるために、図３に示すように処理材及びｐＨ調整剤を処理槽に投入した直後の処理材のｐＨ値は高くなってしまい、処理材が酸性雰囲気になるまでに時間がかかってしまっていた。これによって酸性雰囲気で分解を行う微生物の増殖が遅れ、酸性雰囲気での分解処理が開始されるまでに時間がかかってしまう。加えて処理材とｐＨ調整剤と別のものであるために、図３に示すように処理材のｐＨ値を酸性に維持することができず、酸性雰囲気での分解が維持できなくなり、アンモニアガス等の悪臭を発生するという問題が生じていた。
【０００４】
また処理槽内への生ゴミの投入量が少なかったり、生ゴミにおける野菜の割合が極端に多い等して生ごみ処理槽に投入される生ゴミの栄養分が充分でない場合、微生物の増殖が抑えられてしまい、生ゴミを酸性雰囲気で分解するまでに時間がかかってしまっていた。
【０００５】
さらに処理材とｐＨ調整剤とは夫々別々に処理槽に投入しなければならず、非常に手間がかかり、またｐＨ調整剤は粉状であるために周囲に飛散しやすく、作業者がｐＨ調整剤を吸引してしまう等の問題があった。
【０００６】
【発明が解決しようとする課題】
本発明は上記の点に鑑みてなされたものであり、その目的とするところは、酸性雰囲気での分解の開始を早めると共に生ゴミ処理機内の酸性雰囲気を維持し、アンモニアガス等の悪臭の発生を抑えることができ、生ゴミ処理機へ処理材を投入する際の作業性を向上した生ゴミ処理機に用いる処理材を提供することを課題とするものである。
【０００７】
【課題を解決するための手段】
上記課題を解決するために本発明に係る処理材は、生ゴミ処理機に投入され、生ゴミの分解処理に用いられる処理材にあって、木質チップからなる主処理基材に酸性剤を付着・含浸し、酸性剤を付着・含浸していないセルロース発泡体からなる副処理基材に乳酸菌からなる分解に資する有用菌と糖やたんぱく質からなる栄養源を付着・含浸し、前記主処理基材と副処理基材とを混在して成ることを特徴とするものである。
【０００８】
上記のように処理材に酸性剤を付着・含浸することで、処理材を酸性雰囲気で生ゴミを分解する微生物がより生息しやすい状態とすることができ、またこのような処理材を生ゴミ分解処理機に投入した場合、投入後の生ゴミ処理機内の酸性雰囲気で生ゴミを分解処理する微生物の増殖が早くなり、また投入直後から生ゴミ処理機内を酸性雰囲気に維持することができる。さらに処理材を生ゴミ処理機に投入するだけで生ゴミ処理機内を酸性雰囲気とすることができるので、従来のように処理材とは別にｐＨ調整材等の生ゴミ処理機内を酸性にするものを加えなくても良く、手間がかからない。また酸性剤を付着・含浸させた木質チップからなる主処理基材と、乳酸菌からなる分解に資する有用菌と糖やたんぱく質からなる栄養源を付着・含浸した酸性剤を付着・含浸していないセルロース発泡体からなる副処理材とを混在して成るものとすることで、一部の処理材に酸性剤を含浸するだけで、全ての処理材を酸性雰囲気で生ゴミを分解処理する微生物が生息しやすい状態にすることができる。また、処理材に乳酸菌からなる有用菌を付着・含浸することで、処理材が人体に付着したとしても人体に悪影響を及ぼすことがなくなる。また処理材に糖やたんぱく質からなる栄養源を付着・含浸することで、生ゴミ処理機内の生ゴミの量が少なかったり、野菜の割合が極端に多い等して生ごみ処理槽に投入される生ゴミの栄養分が充分でない場合においても、微生物が栄養不足になることがなくなり、より一層投入直後の微生物の増殖を促すことができる。
【０００９】
また請求項２記載の処理材は請求項１記載の処理材において、上記処理材のｐＨ値が３．０〜６．５の範囲となるように酸性剤を付着・含浸して成ることを特徴とするものである。
【００１０】
上記のように処理材のｐＨ値が３．０〜６．５の範囲となるように酸性剤を付着・含浸することで、処理材を酸性雰囲気で生ゴミを分解処理する微生物に適したｐＨ値とすることができ、より一層投入直後の微生物の増殖を促し、生ゴミ処理機内を酸性雰囲気に維持することができる。
【００１１】
【発明の実施の形態】
以下、本発明を添付図面に示す実施形態に基づいて説明する。
【００１２】
まず本発明の処理材を使用する生ゴミ処理機について説明する。この生ゴミ処理機は従来から知られているものであり説明には図示を省略しているが、一般的に以下のような構成を有している。生ゴミ処理機には生ゴミと後述する処理材とが入る処理槽が設けられており、またこの処理槽内の環境を微生物が生ゴミを分解しやすい環境とするために、生ごみ処理槽内の気体を換気するための換気手段や、処理槽内の温度を調節する加熱手段等が設けられている。なお、生ゴミ処理機の具体的構成については上記に限定されず、その他種々の生ゴミ処理機を用いても良いものとする。
【００１３】
生ゴミ処理機の処理槽には生ゴミを分解処理する微生物を処理槽内に数多く生息させるために処理材が投入される。
【００１４】
処理材は多孔質な木質チップから成る主処理基材と、多孔質なセルロース発泡体から成る副処理基材とから成る。この主処理基材及び副処理基材は多孔質となっているため、微生物にとって生息しやすいものとなっている（微生物担持機能を有している）。
【００１５】
処理材の主処理基材にはあらかじめ乳酸等の酸性剤が付着・含浸されている。このように処理材に酸性剤を付着・含浸することで、処理材は酸性雰囲気となるため酸性雰囲気で生ゴミを分解処理する微生物（以下酸性を好む微生物）がより生息しやすいものとなる。
【００１６】
一方処理材の副処理基材には乳酸菌からなる分解に資する有用菌を付着・含浸している。加えて副処理材には糖やたんぱく質の微生物の栄養源となるものを付着・含浸している。
【００１７】
上記処理材は具体的には、以下に示すように構成される。主処理基材として木質チップを用い、この木質チップ１Ｌに対して、酸性剤である乳酸を１〜１０ｇ付着する。
【００１８】
一方副処理基材としては多孔質なセルロース発泡体を用い、このセルロース発泡体に分解に資する有用菌である乳酸菌と、糖やたんぱく質の微生物の栄養源となるグルコースとを１０〜５０ｇ付着する。上記によって５０〜１００ｍＬの副処理基材を構成し、この副処理基材を木質チップに１Ｌに添加することで、上述した処理材を構成している。またこのように構成された処理材はｐＨ値が３．０〜６．５の範囲に維持される。
【００１９】
このように酸性剤を付着・含浸させていない処理材と、酸性剤を付着・含浸させた処理材とを混在して成る処理材を使用することで、一部の処理材に酸性剤を含浸するだけで、全ての処理材に酸性雰囲気で生ゴミを分解処理する微生物が生息するようにすることができる。
【００２０】
上記処理材は生ゴミ処理機の処理槽に投入されて使用される。この処理材の投入作業は使用者が行うわけだが、上述したように処理材には酸性剤が付着・含浸されているために、処理材とは別のｐＨ調整剤等の生ゴミ処理機内を酸性にするものを加えなくてもよく、投入作業の手間が省ける。また処理材に乳酸菌からなる分解に資する有用菌を付着・含浸しているので、処理材投入の際に人体に悪影響を及ぼすことがなくなる。
【００２１】
処理材投入後、生ゴミ処理機を運転することで、生ゴミの分解は行われる。処理材にはあらかじめ酸性剤が付着・含浸されているため、生ゴミ処理機の処理槽内のｐＨ値を酸性域まで下げ、酸性雰囲気で生ゴミを分解処理することができ、アンモニアガス等の悪臭の発生を抑えることができる。
【００２２】
また上述したように主処理基材に酸性剤を付着・含浸したことで、主処理基材の中は酸性を好む微生物がより生息しやすい状態となるため、投入後の酸性を好む微生物の増殖を早めることができる。
【００２３】
次に生ゴミ処理機運転開始後の、主処理基材のｐＨ値及び温度を記録したものを図１に示す。なお、図１の実験は処理槽に１日毎に一定量の生ゴミを投入したものである。また主処理基材温度の下降は生ゴミ投入によるものであり、また主処理基材温度の上昇は生ゴミ分解による発酵熱によるものである。
【００２４】
図１からもわかるように、主処理基材に酸性剤を付着・含浸したことで、主処理基材のｐＨ値が酸性雰囲気で安定して維持されていることとなる。
【００２５】
また、処理材のｐＨ値を３．０〜６．５の範囲となるように酸性剤を付着・含浸したことで、処理槽内が酸性を好む微生物にとって適した雰囲気となり、酸性雰囲気での分解を促進することができることも理由の一つである。
【００２６】
上記によってアルカリ性雰囲気で生ゴミを分解処理することがなくなり、アンモニアガス等の悪臭の発生を抑えることができるものである。
【００２７】
また、処理材の副処理基材に嫌気性細菌である乳酸菌を付着・含浸することで、その他の酸性雰囲気に弱い嫌気性細菌の増殖を抑制し、より一層投入直後の微生物の増殖を促し、生ゴミ処理機内を酸性雰囲気に維持することができる。
【００２８】
さらに副処理材に糖やたんぱく質の微生物の栄養源となるものを付着・含浸したことで、生ゴミ処理機内の生ゴミの量が少なかったり、野菜の割合が極端に多い等して生ごみ処理槽に投入される生ゴミの栄養分が充分でない場合においても、微生物が栄養不足になることがなくなり、さらにより一層投入直後の微生物の増殖を促すことができる。
【００２９】
【発明の効果】
上記のように本発明の請求項１記載の発明にあっては、酸性雰囲気での分解の開始を早め、生ゴミ処理機内の酸性雰囲気を維持することができるため、アンモニアガス等の悪臭の発生を抑えることができる。また処理材を生ゴミ処理機に投入するだけで生ゴミ処理機内のｐＨ値を下げることができるので、生ゴミ処理機へ処理材を投入する際の作業性が向上する。また一部の処理材に酸性剤を含浸するだけで、全ての処理材に酸性雰囲気で生ゴミを分解処理する微生物が生息するようにすることができ、安価に酸性剤を付着・含浸した処理材を作ることができる。処理材に乳酸菌からなる有用菌を付着・含浸することで、処理材が人体に付着したとしても人体に悪影響を及ぼすことがなくなる。また処理材に栄養源を付着・含浸することで、生ゴミ処理機内の生ゴミの量が少なかったり、野菜の割合が極端に多い等して生ごみ処理槽に投入される生ゴミの栄養分が充分でない場合においても、微生物が栄養不足になることがなくなり、より一層投入直後の微生物の増殖を促すことができる。
【００３０】
また請求項２記載の発明にあっては、請求項１記載の発明の効果に加えて、処理材のｐＨ値が３．０〜６．５の範囲となるように酸性剤を付着・含浸することで、処理材を酸性雰囲気で生ゴミを分解処理する微生物に適したｐＨ値とすることができ、より一層投入直後の微生物の増殖を促し、生ゴミ処理機内を酸性雰囲気に維持することができる。
【図面の簡単な説明】
【図１】  本発明の一実施形態における処理材を生ゴミ処理機に投入した際の主処理基材のｐＨ値及び温度の推移を示したグラフ図である。
【図２】  従来の処理材とｐＨ調整剤とを生ゴミ処理機に投入した際の主処理基材のｐＨ値及び温度の推移を示したグラフ図である。
【図１】
0003741049.tif 000002
【図２】
0003741049.tif 000003